(57)【要約】【課題】既設の配管設備にも簡易な施工で実施することができ、メンテナンス性も非常に良好な雨水貯溜配管構造を提供する。【解決手段】雨水桝１に接続される排水管２の内部に雨水を貯溜する雨水貯溜配管構造であって、雨水桝１の流入口１ａに、上方が開口した堰３を設け、堰３に排出口３０ｂを形成すると共に、該排出口３０ｂに脱着可能な閉塞部材４を取付けた構成とする。排水管２から流入した雨水は、堰３により堰止められて、それよりも上流側の排水管２内部に雨水が貯溜されていき、その貯溜した雨水を有効利用することができる。メンテナンス時は、堰３の排出口３０ｂに脱着可能な閉塞部材４を取付けたことにより、排水管２内部に貯溜された雨水を、容易且つ迅速に排出することができる。【選択図】図２
2014190098.tif 000002
【特許請求の範囲】
【請求項１】
雨水桝に接続される排水管の内部に雨水を貯溜する雨水貯溜配管構造であって、
雨水桝の流入口又は流出口に、上方が開口した堰を設け、
上記堰に排出口を形成すると共に、該排出口に脱着可能な閉塞部材を取付けたことを特徴とする雨水貯溜配管構造。
【請求項２】
上記排出口が、堰の底面であって上方の開口から見える位置に形成されていることを特徴とする請求項１に記載の雨水貯溜配管構造。
【請求項３】
上記堰がＴ字形状をしており、第一の口は上方に向けられており、第二の口は閉口して下方に向けられており、第三の口は雨水桝の流入口又は流出口に接続されており、上記第二の口に排出口が形成されていることを特徴とする請求項１又は請求項２に記載の雨水貯溜配管構造。
【請求項４】
上記閉塞部材に、上方から閉塞部材の脱着を可能とするガイド部材が備えられていることを特徴とする請求項１ないし請求項３のいずれかに記載の雨水貯溜配管構造。
【請求項５】
雨水桝の流入口又は流出口に接続される堰部材であって、上方が開口していると共に排出口が形成されており、該排出口に脱着可能な閉塞部材が取付けられていることを特徴とする堰部材。
【請求項６】
上記堰部材が、上方に向けられる第一の口と、下方に向けられる閉口した第二の口と、雨水桝の流入口又は流出口に接続される第三の口とからなるＴ字形状をしたものであり、上記第二の口に排出口が形成されていることを特徴とする請求項５に記載の堰部材。
【発明の詳細な説明】
【技術分野】
【０００１】
本発明は、雨水桝に接続された排水管の内部に雨水を貯溜し、その貯溜した雨水を植物の水やり等に有効利用できるようにした雨水貯溜配管構造とそれに用いる堰部材に関するものである。
【背景技術】
【０００２】
近年、道路や空き地（駐車場等）の舗装化が急速に進み、未舗装部分の殆どない都市化の進んだ地域が増えてきている。このような地域では、雨水が殆ど地中に浸透することなく、道路の側溝や下水道排水管などを通じて河川へ流れ込むため、短時間で河川の容量を超えて所謂、都市型洪水を引き起し、社会問題となってきている。その一方で、乾期には雨が殆ど降らず、各地で取水制限が実施されている実態がある。これらの問題は、地球温暖化が要因とも言われる昨今の異常気象に伴い、これから益々深刻化していくものと思われる。
【０００３】
集中豪雨時の河川や下水道施設への負荷を低減するため、宅地内の最終雨水桝と公共用雨水桝との間にオーバーフロー部材を、その下縁を宅内集水経路よりも上方に位置させて配設することにより、宅地内の最終雨水桝内と宅内集水経路内に、雨水を一定量貯溜可能とした住宅用雨水貯溜システムが提案された（特許文献１）。
【０００４】
この住宅用雨水貯溜システムは、宅内集水経路の高さに合わせて、オーバーフロー部材にオリフィスを形成し、宅地内の最終雨水桝と宅内集水経路内に貯溜した雨水を上記オリフィスから徐々に排出するようになっている。これにより、家屋に降った雨水が、宅内集水経路を経て道路の側溝や下水道排水管に一気に流出するのを抑制し、集中豪雨時の河川や下水道施設への負荷を低減させることができるようになっている。
【先行技術文献】
【特許文献】
【０００５】
【特許文献１】特開２００６−１６９７７４号公報
【発明の概要】
【発明が解決しようとする課題】
【０００６】
しかしながら、上記住宅用雨水貯溜システムは、宅地内の最終雨水桝と公共用雨水桝との間に配設されるオーバーフロー部材が、上流側継手部材、下流側継手部材、塩ビ直管、塩ビ細管から構成されたものであり、部品点数が多いためコストがかかるという問題があった。また、このオーバーフロー部材を宅地内の既設の最終雨水桝と公共用雨水桝との間に配設するには、地面の掘削や配管の変更等の大がかりな土木工事が必要となるため、コストがかかると共に工期も非常に長くなるという問題もあった。更に、貯溜した雨水を徐々に排出するオリフィスが詰まってしまうと、オーバーフロー部材を配設するのと同様の土木工事が必要となるため、メンテナンスが非常に困難であるという問題もあった。特に、この住宅用雨水貯溜システムは、上流側継手部材からオーバーフローした雨水を下流側継手部材へと排出する塩ビ直管が、宅内集水経路よりも上方に位置するという構造上（引用文献１の図１参照）、オーバーフロー部材に雨水が流入するのは台風などの稀なケースに限られ、通常の降雨ではオリフィスからのみの排出となって負担がかかるため、オリフィスが詰まり易く、メンテナンスが困難であるという問題は到底無視できない。しかも、メンテナンス時は、貯溜されている雨水を外部に排出する必要があるが、この住宅用雨水貯溜システムは、雨水を排出するための手段を持たないため、最終雨水桝から貯溜された雨水をバケツで汲み上げるなどの作業が必要となり、多大な時間と労力を要するものであった。
【０００７】
本発明は上記の問題に鑑みてなされたもので、その解決しようとする課題は、既設の配管設備にも簡易な施工で実施することができ、メンテナンス性も非常に良好な雨水を有効利用できる雨水貯溜配管構造とそれに用いる堰部材を提供することにある。
【０００８】
上記目的を達成するため、本発明に係る雨水貯溜配管構造は、雨水桝に接続される排水管の内部に雨水を貯溜する雨水貯溜配管構造であって、雨水桝の流入口又は流出口に、上方が開口した堰を設け、上記堰に排出口を形成すると共に、該排出口に脱着可能な閉塞部材を取付けたことを特徴とするものである。
尚、ここでいう排出口とは、オリフィスのような小径孔ではなく、貯溜した雨水を速やかに排出することのできる程度の大きさを有するものを言う。
【０００９】
本発明の雨水貯溜配管構造においては、上記排出口が、堰の底面であって上方の開口から見える位置に形成されていることが好ましく、上記堰がＴ字形状をしており、第一の口は上方に向けられており、第二の口は閉口して下方に向けられており、第三の口は雨水桝の流入口又は流出口に接続されており、上記第二の口に排出口が形成されていることがより好ましい。また、上記閉塞部材に、上方から閉塞部材の脱着を可能とするガイド部材が備えられていることが好ましい。
【００１０】
次に、本発明の堰部材は、雨水桝の流入口又は流出口に接続される堰部材であって、上方が開口していると共に排出口が形成されており、該排出口に脱着可能な閉塞部材が取付けられていることを特徴とするものである。
【００１１】
本発明の堰部材においては、上記堰部材が、上方に向けられる第一の口と、下方に向けられる閉口した第二の口と、雨水桝の流入口又は流出口に接続される第三の口とからなるＴ字形状をしたものであり、上記第二の口に排出口が形成されていることが好ましい。
【発明の効果】
【００１２】
本発明の雨水貯溜配管構造は、雨水桝の流入口又は流出口に堰を設けることで、その堰よりも上流側の排水管内部に雨水を貯溜し、その貯溜した雨水を植物の水やり等に有効利用できるようにしたものである。即ち、堰を雨水桝の流入口に設けた場合、排水管から雨水桝の流入口に流入しようとした雨水は、直ちに雨水桝に流入することなく堰により堰止められて、それよりも上流側の排水管内部に雨水が貯溜されていく。また、堰を雨水桝の流出口に設けた場合、雨水桝に流入した雨水は、直ちに雨水桝の流出口から下流側の排水管に流出することなく堰により堰止められて、それよりも上流側の雨水桝内部及び排水管内部に雨水が貯溜されていく。このように本発明は、堰よりも上流側の排水管内部に雨水を貯溜することで、その貯溜した雨水を有効利用できるようにすると共に、併せて、集中豪雨時の河川や下水道施設への負荷を低減するようにしたものである。勿論、堰の上方は開口しているので、台風などの集中豪雨時には、その開口から雨水が流出又は流入し、排水管内部がパンクしてしまう心配はない。しかも、本発明は、このような雨水を有効利用する雨水貯溜配管構造を、雨水桝の流入口又は流出口に堰を設けるという簡易な施工で実施することができるので、従来の住宅用雨水貯溜システムように、地面の掘削や配管の変更等の大がかりな土木工事が必要でなく、施工性が非常に良好で、既設の配管設備にも容易に採用することができる。
一方、メンテナンス時は、堰の排出口に脱着可能な閉塞部材を取付けたことにより、排水管内部に貯溜された雨水を、容易且つ迅速に排出することができるので、従来のように、バケツなどで貯溜された雨水を汲み上げるという面倒な作業が不要となり、メンテナンス性にも非常に優れる。
【００１３】
また、上記排出口が、堰の底面であって上方の開口から見える位置に形成されている雨水貯溜配管構造は、排出口を堰の開口から見える位置に形成することで、該排出口に取付けられた閉塞部材の脱着作業が容易に行え、メンテナンス性がより向上する。
【００１４】
更に、上記堰がＴ字形状をしており、第一の口は上方に向けられており、第二の口は閉口して下方に向けられており、第三の口は雨水桝の流入口又は流出口に接続されており、上記第二の口に排出口が形成された雨水貯溜配管構造のように、堰をＴ字形状にすることで、前述した優れた作用効果を奏する雨水貯溜配管構造を、容易に実現することができる。
【００１５】
また、上記閉塞部材に、上方から閉塞部材の脱着を可能とするガイド部材が備えられている雨水貯溜配管構造は、特別な工具がなくても上方から閉塞部材の脱着作業が行えるので、メンテナンス性がより一層向上する。
【００１６】
次に、本発明の堰部材は、上方が開口していると共に排出口が形成されており、該排出口に脱着可能な閉塞部材が取付けられているので、この堰部材を宅地内に埋設された雨水桝の流入口又は流出口に設けると、既設の配管設備を容易に、雨水を有効利用できて、メンテナンス性にも優れる雨水貯溜配管構造に変更することができる。
【００１７】
特に、上記堰部材が、上方に向けられる第一の口と、下方に向けられる閉口した第二の口と、雨水桝の流入口又は流出口に接続される第三の口とからなるＴ字形状をしたものであり、上記第二の口に排出口が形成されている堰部材のように、堰部材がＴ字形状であると、前述した種々の効果を奏する雨水貯溜配管構造を、容易に実現することができる。
【図面の簡単な説明】
【００１８】
【図１】本発明の一実施形態に係る雨水貯溜配管構造を示す概略斜視図である。
【図２】同配管構造の要部を示すものであって、閉塞部材を排出口に取付けた状態の断面図である。
【図３】同配管構造の要部を示すものであって、閉塞部材を排出口から取外した状態の断面図である。
【図４】同配管構造の説明図である。
【図５】同配管構造に用いる本発明の一実施形態に係る堰部材を示す斜視図である。
【図６】同堰部材の他の実施形態を示す断面図である。
【図７】本発明の他の実施形態に係る雨水貯溜配管構造の要部を示すものであって、閉塞部材を排出口に取付けた状態の断面図である。
【図８】同配管構造の要部を示すものであって、閉塞部材を排出口から取外した状態の断面図である。
【図９】本発明の更に他の実施形態に係る雨水貯溜配管構造の要部を示すものであって、閉塞部材を排出口に取付けた状態の断面図である。
【発明を実施するための形態】
【００１９】
以下、図面を参照して本発明の具体的な実施形態を詳述する。
【００２０】
図１は本発明の一実施形態に係る雨水貯溜配管構造を示す概略斜視図、図２は同配管構造の要部を示すものであって、閉塞部材を排出口に取付けた状態の断面図、図３は同配管構造の要部を示すものであって、閉塞部材を排出口から取外した状態の断面図、図４は同配管構造の説明図、図５は同配管構造に用いる本発明の一実施形態に係る堰部材を示す斜視図である。
【００２１】
本発明の雨水貯溜配管構造（以下、単に配管構造という。）は、図１に示すように、複数の雨水桝１と雨水桝１を排水管２で接続した宅地内において、最も下流側に位置する雨水桝１に堰部材３を設け、その堰部材３よりも上流側に位置する排水管２の内部及び雨水桝１の内部に雨水を貯溜し、その貯溜した雨水を植物の水やり等に有効利用できるようにすると共に、併せて、集中豪雨時の河川や下水道施設への負荷を低減するようにしたものである。
【００２２】
この配管構造において、家屋に降った雨水は家屋の屋根７を流下して、家屋の屋根７の周囲に設けられた軒樋５に流入し、竪樋６を経由して宅地内に埋設された排水管２から雨水桝１に集水され、最も下流側に位置する雨水桝１に設けられた堰部材３により堰止められて、それよりも上流側の排水管２内部及び雨水桝１内部に貯溜されていく。また、図２に示すように、雨水桝１の蓋体１Ｂには、多数の浸透孔１ｅが穿孔されているので、宅地内に降った雨水もその浸透孔１ｅを通して雨水桝１に流入し、堰部材３により堰止められて貯溜される。勿論、台風などの集中豪雨時には、雨水は堰部材３を越流して、公共の雨水排水本管８を通じて河川や下水道施設に排出されるので、排水管２内部がパンクしてしまう心配はない。
【００２３】
宅地内に埋設される雨水桝１は、耐久性や施工性に優れる合成樹脂製（ポリプロピレン製や塩化ビニル樹脂製）の桝であって、図２に示すように、上端が開口し下端が閉口したバケツ型の桝本体１Ａと、多数の浸透孔１ｅが穿孔された蓋体１Ｂからなる。桝本体１Ａの周面には、排水管２が接続される流入口１ａと流出口１ｂがそれぞれ設けられていると共に、桝本体１Ａの上端には、断面形状が略凹型の蓋受部１ｄが外側に向って突設されており、その蓋受部１ｄに蓋体１Ｂが載置されている。
【００２４】
上記の流入口１ａや流出口１ｂは、ホールソーなどで雨水桝１の周面に孔を穿孔することで設けられており、これら流入口１ａ、流出口１ｂの周面には、止水性を向上させる環状のシールパッキン１ｃが周設されている。このようにして流入口１ａや流出口１ｂを設けると、任意の箇所に流入口１ａや流出口１ｂを設けることが可能となり、配管の自由度が向上するため施工性が良好なものとなり好ましいが、側壁に排水管接続口が一体に形成された雨水桝でも良いことは言うまでもない。
尚、泥砂が多い場所や蚊等の虫の発生が多い場所に雨水桝１を設置する場合は、浸透孔１ｅが穿孔されていない蓋体１Ｂを用いてもよいが、上記雨水桝１の開口部全面（雨水桝１の上端や蓋体１Ｂの裏面、表面など）又は蓋体１Ｂの浸透孔１ｅに別途フィルター部材（不図示）を設けると、宅地内に降った雨水を貯溜でき、且つ、蚊等の発生も抑えることができるので好ましい。また、後述するが、本実施形態のように、堰部材３を雨水桝１の流入口１ａに設ける場合、複数の浸透孔が内壁面（底面含む）に穿孔された雨水桝を用いると、堰部材３の第一の口３ａから雨水桝１に流入した雨水が、桝本体１Ａの内部に残らないので、蚊等の虫の発生を抑制できて好ましい。
【００２５】
上記雨水桝１の流入口１ａ及び流出口１ｂに接続される排水管２は、通常の塩化ビニル樹脂製の円筒形のパイプであって、図４に示すように、上流側から下流側に向けて１／１００〜３／１００程度の若干の流れ勾配が付けられている。従って、竪樋６或いは雨水桝１の浸透孔１ｅから流入した雨水は、排水管２の流れ勾配に沿って最も下流側に設置された雨水桝１まで流れるようになっている。
尚、本実施形態のように、必ずしも排水管２に流れ勾配を付ける必要はなく、流れ勾配は無くてもよい。また、この排水管２を、宅地内に埋設される通常の塩化ビニル樹脂製パイプよりも太くすると、貯溜量を増やすことができるのは言うまでもなく、断面楕円形や卵形状の排水管２を使用すると、排出口３０ｂから閉塞部材４を取外して雨水を排出するときの掃流性が向上し、排水管２内部の泥などを排出し易くすることができる。この排水管２は、複数の浸透孔が穿孔された浸透管でもよく、その排水管２を雨水排水本管８にではなく、浸透桝や浸透槽と接続してもよい。このようにすると、雨水の貯溜（利用）と浸透を宅地内で完結させることができ、配管の自由度が向上する。
【００２６】
図１、図２に示すように、最も下流側に設置された雨水桝１の流入口１ａには、本発明の最大の特徴である堰部材３が設けられている。この堰部材３は、図５に示すように、上方に向けられる第一の口３ａと、下方に向けられる第二の口３ｂと、雨水桝１の流入口１ａに接続される第三の口３ｃとからなるＴ字形状をした筒状体であって、下方に向けられる第二の口３ｂは閉口されて、その底面には雨水を堰部材３の外部に排出するための排出口３０ｂが形成されている。第二の口３ｂに形成された排出口３０ｂは、オリフィスのような小径孔ではなく、貯溜した雨水を速やかに外部に排出することができる程度の直径を有する円孔で、メンテナンス時は、この排出口３０ｂより雨水を排出して配管内部のメンテナンスを行う。通常は、この排出口３０ｂに、脱着可能な閉塞部材４が取付けられて、排出口３０ｂが閉塞されることで第二の口３ｂは完全に閉塞されている。
尚、本実施形態の堰部材３は、上記のようにＴ字形状をしているが、排水管２が接続される接続口（第三の口３ｃ）と、雨水が越流する開口（第二の口３ｂ）と、雨水が排出される排出口３０ｂを有するものであればＴ字形状に限定されるものではなく、例えばＬ字形状であってもよい。
【００２７】
上記第二の口３ｂの排出口３０ｂに取付けられる閉塞部材４は、水回りの止水栓として好適に使用されるゴム栓であって、図２、図３等に示すように、この閉塞部材４には、上方から閉塞部材４の脱着を可能とするガイド部材４ａが備えられている。このガイド部材４ａは、止水栓に好適に備えられるボールチェーンであって、その上端は、第一の口３ａの外周面に設けられた突起３ｄに取付けられている。第二の口３ｂに形成された排出口３０ｂは、第一の口３ａに対向する位置、即ち、第一の口３ａの開口から見える位置に形成されており、且つ、閉塞部材４にはガイド部材４ａが備えられているので、閉塞部材４を取付けたり取外したりする脱着作業を、上方から容易に行うことができ、堰部材３の底面まで手を突っ込む必要がないため、メンテナンス性に優れる。
尚、閉塞部材４は、本実施形態のようにゴム栓に限定されるものではなく、上方から開閉可能な蓋部材などでもよいが、貯溜された雨水によって生じる浮力によって浮き上がらない程度の比重を有するものが好ましく、必要に応じて排水口３０ｂと閉塞部材４との間に嵌合構造や係止構造などを設け、浮力のみで閉塞部材４が排水口３０ｂから外れないようにすることが好ましい。また、ガイド部材４ａも、上方から閉塞部材４の脱着を可能とするのであればボールチェーンに限定されるものはなく、線材の折り曲げ加工品等でもよい。更に、本実施形態のガイド部材４ａの上端は、第一の口３ａ近傍に取付けられているが、上方からの脱着が可能な位置、例えば、雨水桝１の蓋受部１ｄ近傍や蓋体１Ｂ等に取付けてもよく、このように、ガイド部材４ａの上端を、雨水桝１の蓋受部１ｄ近傍や蓋体１Ｂ等に取付けると、雨水桝１が深く埋設されている場合であっても、地表に近いところで閉塞部材４の脱着作業が可能となり、閉塞部材４に手が届かなくて特別な工具が必要になるといったこともなく、メンテナンス性が良い。
【００２８】
図２等に示すように、上記堰部材３の第三の口３ｃは、雨水桝１の内部に収容されており、その第三の口３ｃの内周面に、雨水桝１の流入口１ａに接続された上流側の排水管２が挿入されている。従って、排水管２を流れてきた雨水は、雨水桝１に直接流入することなく、堰部材３の内部に流入することになる。上記のように、堰部材３の第二の口３ｂは閉口しており、排出口３０ｂには閉塞部材４が取付けられているので、排水管２を流れてきた雨水は、堰部材３に堰止められて雨水桝１内部に流入することなく、堰部材３より上流側の排水管２内部及び雨水桝１内部に貯溜されていく。
尚、図示はしないが、堰部材３の第三の口３ｃを、雨水桝１の流入口１ａに挿入して雨水桝１の外側に突出させ、その内周面に上流側の排水管２を挿入してもよい。このようにすると、堰部材３を雨水桝１の内壁面に近づけることができ、雨水桝１内部のメンテナンスが容易となるメリットがある。
【００２９】
堰部材３より上流側の排水管２及び雨水桝１の内部が満水になった状態で、更に竪樋６等から雨水が排水管２に流入すると、堰部材３の水位が上昇していくことになる。ここで、堰部材３の第一の口３ａは開口しているので、上昇してきた雨水は、その開口から溢れ出して雨水桝１の内部に流入し、流出口１ｂに接続された下流側の排水管２から排出されていく。従って、台風などの集中豪雨時に、雨水が一気に排水管２に流入してきても、排水管２内部が行き場を失った雨水によってパンクしてしまう心配はない。
【００３０】
本発明は、堰部材３の第一の口３ａ上端（開口）の高さ位置が、雨水の貯溜量を決定する。即ち、第一の口３ａは、排水管２より流入した雨水を堰止める役割を果たすものなので、第一の口３ａ上端の高さ位置を低くすれば、雨水の越流が早く開始されて貯溜量が減少するし、第一の口３ａ上端の高さ位置を高くすれば、越流が遅く開始されて貯溜量が増加する。従って、雨水を排水管２内部に貯溜するためには、第一の口３ａ上端の高さ位置が、少なくとも排水管２の管底よりも高い必要があり、排水管２の管頂よりも高いほうが好ましい。上記のように、宅地内に埋設される排水管２には、若干の流れ勾配が付けられていることもあるので、直近の排水管２の管頂（堰部材３の第三の口３ｃに挿入された排水管２の管頂）より高くても、最も上流側に配管された排水管２の管頂よりも低いと、宅地内に埋設された排水管２内部の全てを貯溜空間とすることはできない。このような事情に鑑みて、本実施形態では、図４に示すように、宅地内に埋設された全ての排水管２内部を貯溜空間とするため、第一の口３ａ上端の高さ位置が、最も上流側に配管された排水管２の管頂よりも高くなっている。勿論、排水管２に勾配が付けられていない場合は、第一の口３ａ上端の高さ位置が堰部材３の第三の口３ｃに挿入された排水管２の管頂よりも高ければ、宅地内に埋設された排水管２内部の全てを貯溜空間とすることができることは言うまでもない。
尚、この第一の口３ａは常時開口しているので、雨水が貯溜された状態では、第一の口３ａから蚊等の虫が発生する心配もある。そのような虫の発生を抑制するため、この第一の口３ａにフィルターや、図６に示す圧力開放弁３ｅを設けてもよい。この図６に示す圧力開放弁３ｅは、第一の口３ａの内面に内挿されたヒンジ式の開放蓋であって、通常は閉じられていて、排水管２内部の圧力が高まる（水位が上昇する）と開くようになっているものである。このような圧力開放弁３ｅを設けることで、通常時は排水管２内部と外部の接触が遮断されるため、虫の発生を抑制することができる。この圧力開放弁３ｅは、本実施形態のように、内挿しではなく、外挿タイプのものでもよく、外挿タイプの圧力開放弁３ｅは、第一の口３ａ開口面積が小さくならないというメリットがある。
【００３１】
尚、上記第一の口３ａの高さ調整は、第一の口３ａの高さの違う堰部材３を何種類か準備して行ってもよいが、堰部材３の第一の口３ａに受け口或いは挿口を形成し、その受け口或いは挿口に、別途筒体を挿入することで調整してもよい。このように別途筒体で、第一の口３ａの高さ調整を行うようにすれば、容易に所望の高さに変更することができるし、堰部材３を一種類にすることで製作コストを抑えることもできる。
【００３２】
上記のような構成の堰部材３を、最も下流側に設置される雨水桝１の流入口１ａに設けると、竪樋６や雨水桝１の浸透孔１ｅを通して排水管２に流入した雨水は、その流れ勾配に沿って最終の雨水桝１へと流下し、堰部材３によって堰止められて、雨水は直接雨水桝１に流入することなく、堰部材３よりも上流側の排水管２内部及び雨水桝１内部に貯溜されていく。本実施形態の堰部材３は、第一の口３ａの上端が、最も上流側に配管された排水管２の管頂よりも高い位置となるように調整されているので、宅地内に埋設された全ての排水管２内部及び雨水桝１内部が貯溜空間となり、植物の水やり等に有効利用するのに十分な量の雨水を貯溜することができる。この貯溜した雨水は、雨水桝１や排水管２の途中経路にポンプなどの取水装置を設けて、そこから取水するようにすれば、容易に貯溜した雨水を有効利用することができるので好ましい。
尚、本実施形態のように、堰部材３を設けた雨水桝１が最も低い位置にある場合は、堰部材３の近傍に取水装置を設けると最も効率よく取水することができる。また、本実施形態とは逆に、排水管２に勾配を付けなければ、宅地内に埋設された配管構造のどこからでも取水することが可能となり、その場合は、取水したい箇所で分岐させて、分岐点から取水箇所に向って下り勾配を付けることで、貯溜空間に貯溜された雨水を効率よく有効利用することができる。
【００３３】
一方、メンテナンス時は、貯溜した雨水を排水管２内部から排出して行う。その場合、最終の雨水桝１の蓋体１Ｂを開けて、第一の口３ａ近傍の突起３ｄに取付けられたガイド部材４ａを上方に引き上げるという簡易な作業で、排出口３０ｂに取付けられた閉塞部材４を取外すことができるので、貯溜された雨水は、その排出口３０ｂより外部（雨水桝１）に速やかに排出されて、雨水桝１の流出口１ｂに接続された下流側の排水管２より、公共の雨水排水本管８へと流出していく。
【００３４】
このように、本発明の配管構造は、上記構成の堰部材３を最終の雨水桝１の流入口１ａに設けるだけで、有効利用するための雨水を貯溜することができ、併せて、集中豪雨時の河川や下水道施設への負荷を低減することができるものである。しかも、従来のような、地面の掘削や配管の変更等の大がかりな土木工事は不要で、最終の雨水桝１の流入口１ａに、堰部材３を設けるという簡易な施工で実施することができるので、既設の配管設備にも容易に適用可能で、コストが抑えられると共にメンテナンス性にも優れる。
上記のように、本実施形態では、最終の雨水桝１に堰部材３を設けているが、堰部材３を設ける箇所は、最終の雨水桝１（最も低い雨水桝１）に限定されるものではなく、堰部材３は雨水を貯溜したい領域の最も下流側に設ければよいものである。
【００３５】
尚、雨水桝１の流入口１ａと一体の堰を設けても同様の効果を奏するが、本実施形態の堰部材３のように、雨水桝１と堰部材３を別体にすることで、既設の雨水桝１にも適用可能となるので好ましい。また、貯溜された雨水の排出スピードをより向上させるために、第二の口３ｂを下窄まりのテーパー面として、空気芯を形成するようにしてもよい。
【００３６】
図７は本発明の他の実施形態に係る雨水貯溜配管構造の要部を示すものであって、閉塞部材を排出口に取付けた状態の断面図、図８は同配管構造の要部を示すものであって、閉塞部材を排出口から取外した状態の断面図である。
【００３７】
図７、図８に示す配管構造は、前述した図１〜図５に示す配管構造が、雨水桝１の流入口１ａに堰部材３を設けたものであるのに対して、雨水桝１の流出口１ｂに堰部材３を設けたものである。この堰部材３は、第三の口３ｃが雨水桝１の内部の流出口１ｂ近傍に収容されて雨水桝１に設けられていると共に、その第三の口３ｃの内周面に、下流側の排水管２が挿入されている。
【００３８】
このように、雨水桝１の流出口１ｂに堰部材３を設けると、上流側から流下してきた雨水は、流入口１ａに接続された上流側の排水管２より、最終の雨水桝１の内部に流入する。堰部材３を設けていない場合、雨水桝１に流入した雨水は、そのまま流出口１ｂより下流側の排水管２に流出していくが、流出口１ｂには堰部材３が設けられているので、流入した雨水は、直ちに下流側に排出されることなく、堰部材３によって堰止められて、堰部材３よりも上流側の雨水桝１内部及び排水管２内部に貯溜されていく。この実施形態の第一の口３ａの上端も、前述した実施形態と同様に、最も上流側に配管された排水管２の管頂よりも高い位置にあるので、宅地内に埋設された全ての配管設備の内部に雨水を貯溜することができる。そして、堰部材３よりも上流側の排水管２や雨水桝１が満水になると、水位は更に上昇を始め、第一の口３ａから堰部材３の内部に流入し、第三の口３ｃより下流側の排水管２へと流出していくので、排水管２がパンクしてしまう心配はない。
【００３９】
一方、メンテナンス時は、閉塞部材４を排出口３０ｂから取外すと、図８の矢印に示す如く、雨水は該排出口３０ｂより堰部材３の内部に流入し、第三の口３ｃより下流側の排水管２へと流出していくので、貯溜した雨水は速やかに排水管２内部から排出され、直ちにメンテナンスを行うことができる。
本実施形態の配管構造のその他の構成は、前述した図１〜図５に示す配管構造と同様であるので、同一部材に同一符号を附して説明を省略する。
【００４０】
本実施形態の配管構造も、前述した図１〜図５に示す実施形態の配管構造と同様に、簡易な施工で、植物の水やり等に有効利用するための雨水を貯溜することができ、メンテナンス性にも優れる。
【００４１】
図９は本発明の更に他の実施形態に係る雨水貯溜配管構造の要部を示すものであって、閉塞部材を排出口に取付けた状態の断面図である。
【００４２】
本実施形態の配管構造は、第二の口３ｂに形成された排出口３０ｂに、図９に示す閉塞部材４０を取付けたものである。この閉塞部材４０は、その外径が排出口３０ｂの内径に等しい円筒体であって、排出口３０ｂの下端部には、閉塞部材４０の下端を載置する筒受段部３１ｂが形成されており、閉塞部材４０の下端が排出口３０ｂの筒受段部３１ｂに載置されて立設されている。
【００４３】
堰部材３の排出口３０ｂに上記閉塞部材４０を立設すると、排出口３０ｂが閉塞されるので、前述した実施形態と同様に、雨水桝１の流入口１ａより流入してきた雨水は、堰部材３よりも上流側の排水管２内部及び雨水桝１内部に貯溜されていく。そして、水位が上昇して、閉塞部材４０の上端高さにまで雨水が達すると、雨水は閉塞部材４０の上端開口に流入し、排出口３０ｂから排出されるようになっている。このように、本実施形態の配管構造では、規定量を超えた雨水は、第一の口３ａからではなく、閉塞部材４０を経由して排出口３０ｂより排出されていく。従って、閉塞部材４０の上端の高さを調整することで、貯溜量を調整することができるのである。勿論、閉塞部材４０の上端が、第一の口３ａの上端より高くても不都合は生じないが、閉塞部材４０の上端の高さを、第一の口３ａの上端よりも低くして、閉塞部材４０の上端高さで貯溜量を調整すると、容易に貯溜量を変更できるので好ましい。
【００４４】
図９に示すように、上記閉塞部材４０の側壁には、オリフィス４０ｂが形成されている。このオリフィス４０ｂは、閉塞部材４０側壁の異なる高さに複数形成されており、任意の高さにオリフィス４０ｂを形成することで、想定した貯溜量を超えた雨水は徐々にオリフィス４０ｂより排出されて、雨水の一時的な流出抑制の機能が付与されている。このように、異なる高さに複数のオリフィス４０ｂを形成した場合、使用しないオリフィス４０ｂには栓（不図示）をしておけばよく、複数のオリフィス４０ｂを形成することで、一つのオリフィス４０ｂが詰まったとしても、他のオリフィスで排出の機能を果たすことができるので好ましい。勿論、メンテナンス時には、閉塞部材４０を排出口３０ｂから取外して、貯溜した雨水を排出口３０ｂから一気に排出すればよい。
本実施形態の配管構造のその他の構成は、前述した図１〜図７に示す配管構造と同様であるので、同一部材に同一符号を附して説明を省略する。
【００４５】
本実施形態の配管構造も、前述した図１〜図８に示す実施形態と同様の、優れた効果を奏する配管構造を実現することができるのに加えて、閉塞部材４０側壁にオリフィス４０ｂを形成することで、雨水の一時的な流出抑制の機能を付与することができる。
【符号の説明】
【００４６】
１    雨水桝
１Ａ  桝本体
１ａ  流入口
１ｂ  流出口
１ｃ  シールパッキン
１ｄ  蓋受部
１Ｂ  蓋体
１ｅ  浸透孔
２    排水管
３    堰部材（堰）
３ａ  第一の口
３ｂ  第二の口
３０ｂ  排出口
３ｃ  第三の口
３ｄ  突起
３ｅ  圧力開放弁
４，４０  閉塞部材
４ａ  ガイド部材
４０ｂ  オリフィス
５    軒樋
６    竪樋
７    家屋の屋根
８    雨水排水本管
【図１】
2014190098.tif 000003
【図２】
2014190098.tif 000004
【図３】
2014190098.tif 000005
【図４】
2014190098.tif 000006
【図５】
2014190098.tif 000007
【図６】
2014190098.tif 000008
【図７】
2014190098.tif 000009
【図８】
2014190098.tif 000010
【図９】
2014190098.tif 000011